(57)【特許請求の範囲】
【請求項１】
パネル材（Ｐ）の辺縁（Ｐｅ）にエッジ材（２０）が取り付けられ前記エッジ材がコーナー部（Ｃ）においてコーナーピース（５０）によって固定されてなる防音パネル（１０）であって、
前記エッジ材（２０）は、同一断面形状を有する型材よりなり、内周側に前記パネル材の辺縁を挿入する溝開口（３１）を備えた溝枠部（３０）を有し、前記溝枠部のパネル後面部（Ｐｒ）側には前記溝枠部を構成する溝板部（４２）と内周板部（４３）及び外周板部（４４）ならびに後板部（４５）とによって角筒状の補強枠部（４０）が一体に形成されており、前記後板部は取付部材（Ｓ１）を前記補強枠部を貫通して前記パネル材へ取り付けるための取付部として構成されているとともに、
前記コーナーピース（５０）は、前記エッジ材のコーナー部分に取り付けられる平面視略Ｌ字形状の成形品よりなり、前記エッジ材の外周板部と合着し取付部材（Ｓ２）を前記エッジ材へ取り付けるための取付部として構成された取付板部（５１）と、前記取付板部から外周側への張出部（５５）を介して後方に延設された外枠部（５６）を一体に有し、
前記溝枠部（３０）のパネル前面部（Ｐｆ）側に突出部（３５）が形成されているとともに、前記後板部（４５）に前記突出部（３５）のための載置溝部（４６）が形成されていることを特徴とする防音パネル。
【請求項２】
前記溝枠部（３０）の内部に、パネル材の辺縁を嵌合する嵌着部（３３）が形成されている請求項１に記載の防音パネル。
【請求項３】
前記外枠部（５６）の後端部に内周側へ屈曲部（５７）が形成されている請求項１又は２に記載の防音パネル。
【発明の詳細な説明】
【技術分野】
【０００１】
本発明は、防音パネルに関し、特にはエッジ材とコーナーピースによって固定されてなる防音パネルに関する。
【背景技術】
【０００２】
建物の建設、補修あるいは外壁の工事などを行う際に、作業員の作業及び通路の確保などのために、建物の外周に足場が設置されるが、足場の外側には防音パネルを取り付けることがよく行われている。この防音パネルは、現場周辺への騒音防止、作業員や建築資材の落下防止、また工事現場の外観の向上等の役割を有している。
【０００３】
このような防音パネルの運搬や保管等においては、通常、複数の防音パネルを水平に積載することが行われている。しかしながら、防音パネルを水平に積み重ねると、積載時の高さが高くなり不安定になるため、トラックやフォークリフト等の運搬中などに、荷崩れを起こし事故が発生するおそれがあった。そこで、積載時の荷崩れを改善する養生網が提案されている（例えば、特許文献１を参照）。
【０００４】
防音パネルと同様の技術である従来構造の養生網７０は、内側に網７５を張設できる前面部７１と、断面クランク状をなす段状の屈折部７２を介して設けられた側壁部７３を有する。複数の養生網７０を、図５に示すように水平に積み重ねると、下段の屈折部７２の後部側に、上段の前面部７１の表面側が当接する。従って、養生網７０の側壁部の後端部から、屈折部の後部までの距離の分だけ、養生網７０を積み重ねたときの高さが低くなる。さらに、下段の側壁部７３が上段の屈折部７２に当接することにより、養生網７０の横ズレが規制されるという利点がある。
【０００５】
しかしながら、前記手段によると、積載時における上段と下段の養生網が当接する面積が小さいため、積み重ねる養生網の数を増加していくと、下段の養生網の当接箇所に、その上に積み重ねた全ての養生網の荷重が集中的に加わり、枠部の変形や破損が生じるおそれがある。さらに、運搬や取り扱いの便利さから、枠体用枠部を例えばアルミニウム等の軽金属材料で形成した場合には、枠部の変形や破損の生じる危険性がより高くなる。また、パネル材の枠部への取り付け方によっては、その自重により枠部に捻れ方向の負荷がかかるため、上記の養生網のような断面構造であると、枠部の強度が低く、容易に変形してしまう可能性がある。
【０００６】
ところで、防音パネルの組み立て時には、パネル材と枠部を固定するために、例えばタッピングネジなどの取付具を用いて、パネル材の後面側から取り付けることが行われている。そのため、防音パネルの前面部から、取り付けたタッピングネジの先端部が露出し、現場作業員などが怪我をする危険性があり、加えて美観が損なわれるという欠点があった。
【０００７】
また、パネル材を枠部に嵌め込んで取付具を用いて固定するとともにコーナー部において、溶接などで固定する必要があるため、防音パネル組み立て作業が極めて煩雑であった。
【特許文献１】実公昭５３−５４３４５号公報
【発明の開示】
【発明が解決しようとする課題】
【０００８】
そこで、本発明は、前記の問題点を鑑み、極めて簡単かつ容易な構造で、防音パネルの組立が簡単であり、強度が高く、しかも安全性も高い防音パネルを提供するものである。
【課題を解決するための手段】
【０００９】
すなわち、請求項１の発明は、パネル材（Ｐ）の辺縁（Ｐｅ）にエッジ材（２０）が取り付けられ前記エッジ材がコーナー部（Ｃ）においてコーナーピース（５０）によって固定されてなる防音パネル（１０）であって、前記エッジ材（２０）は、同一断面形状を有する型材よりなり、内周側に前記パネル材の辺縁を挿入する溝開口（３１）を備えた溝枠部（３０）を有し、前記溝枠部のパネル後面部（Ｐｒ）側には前記溝枠部を構成する溝板部（４２）と内周板部（４３）及び外周板部（４４）ならびに後板部（４５）とによって角筒状の補強枠部（４０）が一体に形成されており、前記後板部は取付部材（Ｓ１）を前記補強枠部を貫通して前記パネル材へ取り付けるための取付部として構成されているとともに、前記コーナーピース（５０）は、前記エッジ材のコーナー部分に取り付けられる平面視略Ｌ字形状の成形品よりなり、前記エッジ材の外周板部と合着し取付部材（Ｓ２）を前記エッジ材へ取り付けるための取付部として構成された取付板部（５１）と、前記取付板部から外周側への張出部（５５）を介して後方に延設された外枠部（５６）を一体に有し、前記溝枠部（３０）のパネル前面部（Ｐｆ）側に突出部（３５）が形成されているとともに、前記後板部（４５）に前記突出部（３５）のための載置溝部（４６）が形成されていることを特徴とする防音パネルに係る。
【００１０】
請求項２の発明は、前記溝枠部（３０）の内部に、パネル材の辺縁を嵌合する嵌着部（３３）が形成されている請求項１に記載の防音パネルに係る。
【００１１】
請求項３の発明は、前記外枠部（５６）の後端部に内周側へ屈曲部（５７）が形成されている請求項１又は２に記載の防音パネルに係る。
【発明の効果】
【００１２】
請求項１の発明に係る防音パネルは、前記エッジ材は、同一断面形状を有する型材よりなり、内周側に前記パネル材の辺縁を挿入する溝開口を備えた溝枠部を有し、前記溝枠部のパネル後面部側には前記溝枠部を構成する溝板部と内周板部及び外周板部ならびに後板部とによって角筒状の補強枠部が一体に形成されており、前記後板部は取付部材を前記補強枠部を貫通して前記パネル材へ取り付けるための取付部として構成されているとともに、前記コーナーピースは、前記エッジ材のコーナー部分に取り付けられる平面視略Ｌ字形状の成形品よりなり、前記エッジ材の外周板部と合着し取付部材を前記エッジ材へ取り付けるための取付部として構成された取付板部と、前記取付板部から外周側への張出部を介して後方に延設された外枠部を一体に有し、前記溝枠部（３０）のパネル前面部（Ｐｆ）側に突出部（３５）が形成されているとともに、前記後板部（４５）に前記突出部（３５）のための載置溝部（４６）が形成されているものであるから、極めて簡単かつ容易な構造で、防音パネルの組立が簡単であり、かつ強度も高く、しかも取付具の先端部が防音パネルの前面部から露出することがなく安全性が高くなるとともに、防音パネル積載時の安定性が向上し効果的に横ズレを防止することができる。
【００１３】
請求項２に係る発明にあっては、請求項１に記載の防音パネルにおいて、前記溝枠部の内部に、パネル材の辺縁を嵌合する嵌着部が形成されているので、パネル材をエッジ材に嵌め込みやすく、作業性がよい。
【００１４】
請求項３に係る発明にあっては、請求項１又は２に記載の防音パネルにおいて、前記外枠部の後端部に内周側へ屈曲部が形成されているので、防音パネル積載時の横ズレを効果的に防止することができる。
【発明を実施するための最良の形態】
【００１５】
以下添付の図面に従ってこの発明を詳細に説明する。図１は本発明の一実施例に係る防音パネルの組み立て状態を示す斜視図、図２は防音パネルの別例に係る断面図、図３は防音パネルを積載した状態を示す部分断面図、図４は防音パネルを施行した状態を示す後側平面図である。
【００１６】
図１及び図２に示すように、防音パネル１０は、パネル材Ｐの辺縁Ｐｅにエッジ材２０が取り付けられ前記エッジ材がコーナー部Ｃにおいてコーナーピース５０によって固定されてなる防音パネル１０であって、前記エッジ材２０は、同一断面形状を有する型材よりなり、内周側に前記パネル材の辺縁を挿入する溝開口３１を備えた溝枠部３０を有し、前記溝枠部のパネル後面部Ｐｒ側には前記溝枠部を構成する溝板部４２と内周板部４３及び外周板部４４ならびに後板部４５とによって角筒状の補強枠部４０が一体に形成されており、前記後板部は取付部材Ｓ１を前記補強枠部を貫通して前記パネル材へ取り付けるための取付部として構成されているとともに、前記コーナーピース５０は、前記エッジ材のコーナー部分に取り付けられる平面視略Ｌ字形状の成形品よりなり、前記エッジ材の外周板部と合着し取付部材Ｓ２を前記エッジ材へ取り付けるための取付部として構成された取付板部５１と、前記取付板部から外周側への張出部５５を介して後方に延設された外枠部５６を一体に有する。
【００１７】
防音パネル１０は、例えば、工事現場の外周等に設置する場合において、図示しない足場側に対して、パネル後面部Ｐｒ側が面するように、足場等に取り付けられるものである。防音パネル１０の足場等への取付方法は後述する。パネル材Ｐの材質としては、特に限定されないが、例えば、繊維強化プラスチックから成形されたもの等を使用することができる。
【００１８】
防音パネル１０は、パネル材Ｐの辺縁Ｐｅにエッジ材２０が取り付けられ前記エッジ材がコーナー部Ｃにおいてコーナーピース５０により固定されている。エッジ材２０やコーナーピース５０の材質は、例えば、軽量であるアルミニウム合金を用いることができる。エッジ材２０は、押出成形等により作製し、所定の長さに切断することで作製する。コーナーピース５０は、平面視略Ｌ字形状の成形品であり、大量生産に適するダイキャストにより製造することができ、さらに、取り扱い易さと強度の観点から、例えば取付板部５１の長手方向の長さは１００ｍｍ程度とすることが好ましい。  
【００１９】
前記エッジ材２０は、同一断面形状を有する型材よりなり、内周側に前記パネル材Ｐの辺縁Ｐｅを挿入する溝開口３１を備えた溝枠部３０を有している。同一断面形状を有する型材からなるので、パネル材Ｐに取り付ける場合に方向性を気にすることなく取付が簡単で作業性がよく、コスト的にも有利である。なお、前記溝開口３１は、パネル材Ｐの周縁部Ｐｅを挿入するのに十分な開口長が必要である。
【００２０】
前記エッジ材２０は、請求項２の発明として規定するように、前記溝枠部３０の内部に、パネル材の辺縁を嵌合する嵌着部３３が形成されていることが望ましい。嵌着部３３を設けることにより、パネル材Ｐの辺縁Ｐｅを溝開口３１に挿入した際に、パネル材Ｐの安定性がよく、取付部材Ｓ１の取り付け作業がしやすくなる。嵌着部３３は、パネル材Ｐの辺縁Ｐｅを嵌合係止することができれば、どうのような形態でもよく、実施例においては、溝枠部３０の内部に突部を設けて嵌着部３３を形成している。
【００２１】
パネル材Ｐをエッジ材２０へ取り付ける際には、溝枠部３０に形成された溝開口３１へパネル材Ｐの辺縁Ｐｅを挿入した後、後板部４５から、例えばタッピングネジなどの取付部材Ｓ１によって、補強枠部４０を介してパネル材Ｐを固着する。このとき、取付部材Ｓ１の先端部Ｓｐがパネル前面部Ｐｆ側に露出し、現場作業員や通行人等が怪我をするなどのおそれがあり、外観上も問題がある。従って、前記溝枠部３０のパネル前面部Ｐｆ側に突出部３５が形成されていることが好ましい。この突出部３５の形態は特に限定されないが、前記後板部４５に取付けられたパネル材Ｐへの取付部材Ｓ１の先端部Ｓｐがパネル前面部Ｐｆから露出しないように前方へ突出するように形成することが望ましい。前記突出部３５は、実施例では、前方に弧を描く断面略半円状に形成されており、後述するように、防音パネル１０の積載時に積載溝部４６に収容配置できる大きさ及び形状であることが望ましく、例えば、断面略コ字状のものでもよい。
【００２２】
また、エッジ材２０は、前記溝枠部３０のパネル後面部Ｐｒ側には前記溝枠部を構成する溝板部４２と内周板部４３及び外周板部４４ならびに後板部４５によって角筒状の補強枠部４０が一体に形成されており、前記後板部は取付部材Ｓ１を前記補強枠部を貫通して前記パネル材へ取り付けるための取付部として構成されている。補強枠部４０を形成することにより、パネル材Ｐをエッジ材２０へ嵌め込み、固定したときに、パネル材の重さにより、エッジ材２０へ捻れ方向の負荷が加わわった場合でも、エッジ材２０の強度が高く変形しにくい。さらに、補強枠部４０はエッジ材２０に一体に形成されているため、余分なコストがかからず極めて簡単な構造で、防音パネル１０の強度や耐久性を向上させることができる。補強枠部４０の大きさには特に限定はないが、前述のように、取付部材Ｓ１によって取付部として構成される後板部４５から、補強枠部４０を貫通して、パネル材Ｐを固定するため、取付部材Ｓ１の長さを考慮して、補強枠部４０の大きさを適宜選択する必要がある。また、補強枠部４０の溝板部４２には、ガイド部４８を設けることが望ましい。ガイド部４８に斜面などを形成することにより、パネル材Ｐの辺縁Ｐｅを溝開口３１から溝枠部３０に挿入し易くなり、スムーズに防音パネルの組み立て作業を行うことができるためである。
【００２３】
図３に示すように、前記後板部４５に、前記突出部３５のための載置溝部４６が形成されていることが好ましい。防音パネル１０を積み重ねた上段の突出部３５において、下段の後板部４５に当接する箇所が、水平面を有さない場合であっても、後板部４５に上段の突出部３５を載置するための載置溝部４６を設けることによって、極めて簡易な構造で、非常に安定した状態で防音パネル１０を積み重ねることができる。従って、防音パネル積載時の横ズレや荷崩れなどを防ぐことができ、結果的に防音パネル１０の耐久性を向上させることができる。
【００２４】
次に、前記コーナーピース５０は、前記エッジ材のコーナー部分に取り付けられる平面視略Ｌ字形状の成形品よりなり、前記エッジ材の外周板部と合着し取付部材Ｓ２を前記エッジ材へ取り付けるための取付部として構成された取付板部５１と、前記取付板部から外周側への張出部５５を介して後方に延設された外枠部５６を一体に有する。防音パネル１０を組み立てる際に、エッジ材２０のコーナー部における取り付けに別部材であるコーナーピース５０を用いることで、防音パネル１０の組み立てが極めて簡単かつ確実に行うことができ、強度も向上させることができる。さらに、外枠部５６や張出部５５などをコーナーピース５０に形成した場合には、エッジ材２０に一体的に形成した場合と比較して、防音パネルを軽量化できるため、取り扱いが容易となるとともにコスト的にも有利となることが期待できる。
【００２５】
防音パネルの組み立て方法は、図１に示すように、パネル材Ｐの辺縁Ｐｅに、エッジ材２０を嵌め込んだ後に、エッジ材のコーナー部においてコーナーピースによって固定する。コーナーピース５０を前記エッジ材２０の外周板部４４と合着するための取付部材Ｓ２として、例えば公知のタッピングネジなどを用いることができ、１箇所に限らず、用途に応じて複数箇所に取付部材を用いても構わない。
【００２６】
前記コーナーピース５０には、前記取付板部５１から外周側への張出部５５を介して後方に延設された外枠部５６を一体に有している。外枠部５６を形成し、さらに請求項３の発明として規定するように、前記外枠部５６の後端部に内周側へ屈曲部５７を形成することで、図３に示すように、防音パネル１０を積み重ねたときに、何らかの激しい衝撃が加わっても、外枠部５６若しくは屈曲部５７により、横方向の移動は規制され、荷崩れなどを防止することができる。また、前記屈曲部５７は、防音パネル１０を積み重ねたときに、上段の張出部５５と当接するように設けてもよく、この場合、上段からの負荷を、屈曲部５７と前述の載置溝部４６に分散させることができ、局所的に負荷がかからないので、防音パネル１０が変形しにくくなる。また、張出部５５と屈曲部５７は他の箇所よりも、負荷がかかりやすいので、肉厚を厚く形成するようにすれば、より一層防音パネル１０が変形しにくくなり、耐久性も向上する。
【００２７】
次に、上記のような防音パネル１０を足場等に施行する方法について説明する。まず、上述のようにパネル材Ｐの４つの辺縁Ｐｅを、それぞれエッジ材２０へ嵌め込み、エッジ材のコーナー部Ｃにおいてコーナーピース５０によって固定し、図４に示すように、防音パネル１０とされる。足場の支柱などに設けられた支持ボルトＢを、コーナーピース５０の外枠部５６に形成された貫通孔５８に挿通させる。このボルトＢを挿通した防音パネル１０の上部に、別の防音パネル１０の貫通孔５８に支持ボルトＢを挿通させる。下側の防音パネル１０の外枠部５６と、上側の防音パネル１０の外枠部５６が、その自重により圧接するため、工事現場の騒音が遮断される。同様にして、図４に示すように、上下左右方向に防音パネル１０を足場の外周等に取り付る。
【００２８】
さらに、エッジ材２０の外周板部４４に、例えばゴムなどの弾力性のあるスタッキングなどを設けておけば、防音パネル枠体の足場への施工時に、外枠部５６が圧接するとともに、スタッキングも押圧されて圧接するので、騒音の遮断効果をさらに高められることが期待される。また、防音パネル１０の足場への取付施工時や、積載状態での運搬時において、枠体同士が接触するときの騒音を減少させることもできる。
【図面の簡単な説明】
【００２９】
【図１】本発明の一実施例に係る防音パネルの組み立て状態を示す斜視図である。
【図２】防音パネルの別例に係る断面図である。
【図３】防音パネルを積載した状態を示す部分断面図である。
【図４】防音パネルを施行した状態を示す後側平面図である。
【図５】従来の養生網を積層した状態の断面図である。
【符号の説明】
【００３０】
１０  防音パネル
２０  エッジ材
３０  溝枠部
３１  溝開口
３３  嵌着部
３５  突出部
４０  補強枠部
４２  溝板部
４３  内周板部
４４  外周板部
４５  後板部
４６  載置溝部
５０  コーナーピース
５１  取付板部
５５  張出部
５６  外枠部
５７  屈曲部
Ｐ  パネル材
Ｐｅ  辺縁
Ｐｒ  パネル後面部
Ｐｆ  パネル前面部
Ｓ１，Ｓ２  取付部材
【図１】
0004485431.tif 000002
【図２】
0004485431.tif 000003
【図３】
0004485431.tif 000004
【図４】
0004485431.tif 000005
【図５】
0004485431.tif 000006